(57)【要約】【課題】  メモリカードに毎日、毎週受信される番組を予約し、放送される番組の繰り返し録画を可能とする番組予約記憶システムを実現する。【解決手段】  番組予約装置４は、記憶媒体６に繰り返し予約の予約頻度を示すホルダ名を付した予約ホルダを異なる予約頻度ごとに作成する予約ホルダ作成手段４８と、電子番組表から選択された予約番組の記述された予約情報を、予約頻度ごとの予約ホルダのうちの選択される１つの予約ホルダに記憶する予約情報記憶手段４６、４７とを備え、番組記憶装置７は、記憶媒体６の予約ホルダに記憶された予約情報及び予約頻度を取得する予約情報取得手段７８と、予約頻度及び予約情報に基づき繰り返し予約を設定する予約設定手段７１と、受信信号を予約頻度に関連付けられた名称の番組記憶用ホルダに記憶する記憶手段７６、７８とを備えて構成した。【選択図】      図１
2007295072.tif 000002
【特許請求の範囲】
【請求項１】
外部より電子番組表を取得し録画予約を行うための予約情報を記憶媒体に記憶する番組予約装置と、前記記憶媒体から読み出される前記予約情報を基に受信して得られる受信信号を前記記憶媒体に記憶する番組記憶装置と有する番組予約記憶システムにおいて、
前記番組予約装置は、
装着される前記記憶媒体に繰り返し予約の予約頻度を示すホルダ名を付した予約ホルダを異なる予約頻度ごとに作成する予約ホルダ作成手段と、
前記電子番組表から予約する番組として選択された予約番組の開始時刻、終了時刻及びチャンネル番号が記述された前記予約情報を、前記予約ホルダ作成手段により作成された前記異なる予約頻度ごとの予約ホルダのうち外部から指定される１つの予約ホルダに記憶する予約情報記憶手段と、を備え、
前記番組記憶装置は、
装着される前記記憶媒体の予約ホルダに記憶された前記予約情報を取得すると共に、前記取得した予約情報が記憶されている予約ホルダのホルダ名から前記予約頻度を取得する予約情報取得手段と、
前記予約情報取得手段で取得された前記予約頻度及び前記予約情報に基づき受信番組の繰り返し予約を設定する予約設定手段と、
前記予約設定手段で設定されて受信して得られる前記受信信号を、前記記憶媒体上の番組記憶用ホルダに記憶する記憶手段と、
を備えて構成したことを特徴とする番組予約記憶システム。
【発明の詳細な説明】
【技術分野】
【０００１】
本発明は、受信される番組を予約し、録画された番組を携帯映像端末で視聴するための記録媒体に記録する番組予約記憶システムに関する。
【背景技術】
【０００２】
最近になり、１セグメント方式による地上ディジタル放送もなされ、携帯端末による移動列車中等でも高品質の放送受信がなされるようになってきた。携帯端末で受信番組を録画することも可能である。
一方、携帯端末で任意の時刻を予約して録画することは可能であるものの、内蔵される電池の容量、移動先での受信状態により予約した番組の全てを録画することはできない。そこで、自宅で、あるいは外出先で録画予約した番組をメモリカードなどに記録し、そのメモリカードを携帯端末に挿入して再生する。メモリカードには番組の内容毎に同一カテゴリーの番組の記録がなされ、携帯端末による視聴も同一カテゴリーの番組を続けて再生できることは好ましい。
【０００３】
特許文献１には、インターネット上に公開されている電子番組表から録画したいＴＶ番組情報を取込んだメモリカードを記録機に入れるだけでメモリカードにタイマ録画され、録画された番組を携帯情報端末機で視聴できる様にしたＴＶ番組の録画、再生方法が開示されている。即ち、携帯情報端末をインターネットに接続して得られる電子番組表を表示し、その中から録画したいＴＶ番組を指定する。携帯情報端末の処理手段は、番組を記録する空きメモリ容量や、番組を録画する時間帯が重複していないかをチェックする。使用者は不具合があれば予約内容を修正し、修正された録画予約情報を挿入されているメモリカードに記憶する。メモリカードのインデックスエリアには番組の開始時間、終了時間、受信チャンネルなどの予約情報が書き込まれる。使用者は予約情報の書き込まれたメモリカードをＴＶ番組記録機に挿入する。ＴＶ番組記録機は、録画開始時刻が到来する時刻に電源がＯＮされ、メモリカードに記述された予約番組が録画されるようにしたＴＶ番組の録画、再生方法が開示されている。
【特許文献１】特開２００２−６４７８２号公報
【発明の開示】
【発明が解決しようとする課題】
【０００４】
しかしながら、特許文献１に開示されているＴＶ番組の録画、再生方法では毎日又は毎週受信される番組を予約して録画する繰り返し録画までは考慮することなくメモリカードの空き容量をチェックしており、毎日乃至は毎週受信される番組に対して繰り返し録画予約を設定して録画するＴＶ番組の録画、再生方法を実現することはできなかった。
【０００５】
そこで、本発明は、上記のような問題点を解消するためになされたもので、メモリカードに毎日乃至は毎週受信される番組を予約し、予約後には毎日乃至は毎週放送される番組の繰り返し録画を可能とする番組予約記憶システムを提供することを目的とする。
また、放送番組と共に受信される電子番組表に記述される番組数が少なく、翌日又は翌週に受信されるシリーズ番組が電子番組表に記述されていない場合であっても、番組記録装置の操作を行うことなくシリーズ番組の録画予約設定ができると共に、電池切れや受信環境の不具合による予約番組の録画失敗を防止することのできる番組予約記憶システムを提供することを目的とする。
【課題を解決するための手段】
【０００６】
本願発明における発明は、外部より電子番組表を取得し録画予約を行うための予約情報を記憶媒体に記憶する番組予約装置と、前記記憶媒体から読み出される前記予約情報を基に受信して得られる受信信号を前記記憶媒体に記憶する番組記憶装置と有する番組予約記憶システムにおいて、前記番組予約装置は、装着される前記記憶媒体に繰り返し予約の予約頻度を示すホルダ名を付した予約ホルダを異なる予約頻度ごとに作成する予約ホルダ作成手段と、前記電子番組表から予約する番組として選択された予約番組の開始時刻、終了時刻及びチャンネル番号が記述された前記予約情報を、前記予約ホルダ作成手段により作成された前記異なる予約頻度ごとの予約ホルダのうち外部から指定される１つの予約ホルダに記憶する予約情報記憶手段と、を備え、前記番組記憶装置は、装着される前記記憶媒体の予約ホルダに記憶された前記予約情報を取得すると共に、前記取得した予約情報が記憶されている予約ホルダのホルダ名から前記予約頻度を取得する予約情報取得手段と、前記予約情報取得手段で取得された前記予約頻度及び前記予約情報に基づき受信番組の繰り返し予約を設定する予約設定手段と、前記予約設定手段で設定されて受信して得られる前記受信信号を、前記記憶媒体上の番組記憶用ホルダに記憶する記憶手段と、を備えて構成したことを特徴とする番組予約記憶システムを提供する。
【発明の効果】
【０００７】
本発明によれば、番組予約装置は、装着される記憶媒体に繰り返し予約の予約頻度を示すホルダ名を付した予約ホルダを異なる予約頻度ごとに作成する予約ホルダ作成手段と、電子番組表から予約する番組として選択された予約番組の開始時刻、終了時刻及びチャンネル番号が記述された予約情報を、予約ホルダ作成手段により作成された異なる予約頻度ごとの予約ホルダのうち外部から指定される１つの予約ホルダに記憶する予約情報記憶手段とを備え、番組記憶装置は、装着される記憶媒体の予約ホルダに記憶された予約情報を取得すると共に、取得した予約情報が記憶されている予約ホルダのホルダ名から予約頻度を取得する予約情報取得手段と、予約情報取得手段で取得された予約頻度及び予約情報に基づき受信番組の繰り返し予約を設定する予約設定手段と、予約設定手段で設定されて受信して得られる受信信号を、記憶媒体上の番組記憶用ホルダに記憶する記憶手段とを備えるので、メモリカードに毎日乃至は毎週受信される番組を予約し、予約後には毎日乃至は毎週放送される番組の繰り返し録画を可能とする番組予約記憶システムを実現できる。
【発明を実施するための最良の形態】
【０００８】
以下に本発明の実施例に係る番組予約記録システムについて図１〜図１２を用いて説明する。
図１は、本発明の実施に係る番組予約記録システムの構成例を示す図である。図２は、本発明の実施に係る予約機の構成例を示すブロック図である。図３は、本発明の実施に係る録画機の構成例を示すブロック図である。図４は、本発明の実施に係る番組予約記録システムで用いる電子番組表の記述例を示す図である。図５は、本発明の実施に係る予約機の表示部に表示される表示画面例を示す図である。図６は、本発明の実施に係るメモリカードの録画予約領域の構成例を示すブロック図である。図７は、本発明の実施に係る予約機の動作をフローチャートで示した図である。図８は、本発明の実施に係る録画機の動作をフローチャートで示した図である。図９は、本発明の実施に係る番組予約記録システムの応用構成例を示す図である。図１０は、本発明の実施に係る録画機の応用構成例を示すブロック図である。図１１は、本発明の実施に係る録画機の録画予約領域の構成例を示すブロック図である。図１２は、本発明の実施に係る録画機能を搭載するクレードルの外観を例示した図である。
【０００９】
その番組予約記録システムはメモリカードに毎日乃至は毎週受信される番組を予約し、予約後には毎日乃至は毎週放送される番組の繰り返し録画を可能とする番組予約記憶システムを実現するという目的を、所定の時間間隔で連続的に受信されるシリーズ番組の前記所定の時間間隔ごとに複数の予約情報記録領域が設けられ、前記複数の予約情報記録領域のうちの１つに関連付けられて記述される番組予約情報を記録媒体から読み出し、前記読み出された前記番組予約情報を用いて、前記シリーズ番組を前記所定の時間間隔で録画する録画予約を設定し、前記録画予約設定して受信される前記シリーズ番組を、前記記録媒体の前記番組予約情報の記述と関連付けられる番組記録領域に記録するようにして実現した。
【００１０】
番組予約記録システムの構成について述べる。
図１に示す番組予約記録システムは、ネットワーク２に接続されるサーバ１、ネットワーク２に接続され、放送番組の録画予約情報をメモリカード６に記録する予約機４、メモリカード６に受信される番組を録画する記録器７、及びメモリカード６を装着し録画した番組を視聴する携帯端末９より構成される。予約機４には表示部３及びマウス５２が接続される。予約機４に設けられるカードスロット５１にはメモリカード６が装着可能である。録画機７にはメモリカード６が装着可能なカードスロット８１、アンテナ８２、及び表示部８３が備えられている。携帯端末９には、メモリカード６が装着可能なカードスロット９１、アンテナ９２、及び表示部９３が備えられている。
図２に示す予約機４は、ネットワークインタフェース４１、ＥＰＧ（Electronic Program Guide：電子番組案内）データ取得部４２、録画モード特定部４４、操作検出部４５、制御部４６、メモリライタ部４７、メモリ初期化部４８、表示画面生成部４９、及びカードスロット５１より構成される。ネットワークインタフェース４１にはネットワーク２が接続される。操作検出部４５にはマウス５２が接続される。表示画面生成部４９には表示部３が接続される。
図３に示す録画機７は、制御部７１、ＲＯＭ（Read Only Memory）７１ａ、ＲＡＭ（Random Access Memory）７１ｂ、操作部７２、ＨＤＤ（Hard Disk Drive）７３、ＴＶチューナ７５、信号処理部７６、表示制御駆動部７７、表示部８３、カード制御部７８、バスライン７９、及びカードスロット８１より構成される。ＴＶチューナ７５にはアンテナ８２が接続される。
【００１１】
番組予約記録システムの動作について述べる。
まず、予約機４は、カードスロット５１に装着されるメモリカード６に、繰り返してなされる録画予約の頻度の種類に応じた複数の格納用領域を確保する。その繰り返し予約の種類は、例えば毎日録画、日曜を除く毎日録画、土日を除く毎日録画、毎週録画、及び１回限り録画などである。
次に、予約機４は、ネットワーク２を介してサーバ１に記憶されているＥＰＧを取得し、取得されたＥＰＧの記述内容を表示部３に表示する。使用者はマウス５２を操作し、表示画面を基に録画予約する番組を選択する。予約機４は、選択された番組の繰り返し予約の頻度に係る表示を表示部３に行わせ、使用者は表示された繰り返し予約頻度のうちの一つを選択する。予約機４は、選択された番組に関しＥＰＧに記述される番組情報を、メモリカード６に確保された選択された繰り返し予約頻度の格納用領域に格納する。使用者は指定された予約頻度で録画すべき番組情報の格納されたメモリカード６をカードスロット５１から抜き出し、録画機７のカードスロット８１に装着する。
【００１２】
録画機７は、カードスロット５１に挿入されたメモリカード６の格納用領域のそれぞれに記述される番組情報より、指定された番組を、指定された予約頻度で録画するための繰り返し録画予約情報を得る。録画機７は、指定された繰り返し頻度で受信される番組を、装着されるメモリーカードに記録するための動作設定を行う。設定された時刻に受信される放送番組をメモリカード６に記録する。
予約番組の記録後に、使用者は予約番組の記録されたメモリカード６を録画機７のカードスロット５１から抜き出し、携帯端末９のカードスロット９１に装着する。携帯端末９の図示しない再生ボタンを操作し、録画した番組を視聴する。
【００１３】
ここで、録画予約して記録する受信番組は、例えば地上ディジタル放送における１セグメントで送信される番組を想定する。１セグメント放送信号は携帯端末での受信を想定してなされる放送である。受信信号の伝送レートは小さく設定されるため、市場に導入されているメモリカードを用い、実用上差し支えのない録画時間を確保できる。
ところで、１セグメント放送はＥＰＧの送信も行う。しかし、送信される放送番組はせいぜい１０番組程度である。使用者は現在の放送番組から希望する番組を選択して視聴できるものの、翌日の同時刻に受信される番組を選択して録画予約をすることは出来ない。番組予約記録システムに用いられる予約機４は、サーバ１に記憶される電子番組表を用いて録画予約を行うため、翌日はもとより、翌週受信される番組を指定し、録画予約を設定することが出来る。
さらに、予約された番組は、録画予約情報の記述されるメモリカードに記録される。メモリカードを複数枚用い、毎日録画用、日曜を除く毎日録画用、土日を除く毎日録画用、毎週録画用、及び１回限り録画用など、予約頻度に応じてメモリカードを使い分けることが出来る。移動端末で再生する場合に、同一カテゴリの複数の番組を連続的に視聴できるなど、使用者は好適な録画番組の視聴をできる。
【００１４】
次に、詳細に説明する。
図２を参照して予約機について述べる。
まず、メモリ初期化部４８は、カードスロット５１に挿入されるメモリカード６の初期化を行う。初期化は、メモリカード６に予約番組の繰り返し頻度の種類に係り、番組情報を記憶させるための毎日録画、日曜を除く毎日録画、土日を除く毎日録画、毎週録画、及び１回限り録画などのホルダを生成する動作である。
次に、ネットワークインタフェース４１は、例えばインターネットなどのネットワーク２を介してサーバ１と通信を行う。ＥＰＧデータ取得部４２はサーバ１に蓄積されるＥＰＧ情報を取得する。表示画面生成部４９はＥＰＧ情報を表示部３に表示するための画像信号として生成し、生成された画像信号を表示部３に供給してＥＰＧ画面を表示させる。操作検出部４５は、表示画面を基にして操作されるマウス５２の動きを検出する。録画モード特定部４４は、検出されたマウス５２の動きを基に予約する番組及びその予約番組に係る予約頻度を特定する。
【００１５】
制御部４６は、録画モード特定部４４により特定された録画予約すべき番組に係る番組情報をＥＰＧデータ取得部４２より取得し、取得された番組情報を録画モード特定部４４により特定されるメモリカード６に生成された予約番組の繰り返し頻度に係るホルダの位置に格納させる。
ここで、ＥＰＧデータをサーバ１から取得するとして述べたが、ＥＰＧデータは例えば１セグメント放送受信時に得られる記述番組数が少ないＥＰＧデータを使用する場合であっても、上記と同様な番組の繰り返し予約を行うことが出来る。
【００１６】
図３を参照し、録画機について述べる。
まず、カード制御部７８はカードスロット８１に格納されるメモリカード６の、予約番組の繰り返し頻度に係るホルダに格納される番組情報を取得する。制御部７１は、バスライン７９を介して取得された番組情報、及びその番組情報の格納されていたホルダの位置情報を得る。次に、特定のホルダの位置情報と、そこに格納されている番組情報を基に、特定の時間間隔で受信される番組の録画予約を設定する。ＲＯＭ７１ａには制御部７１を動作させるためのコンピュータプログラムが格納されており、ＲＡＭ７１ｂには制御部７１が動作して生成された、録画予約に係り生成された繰り返し録画に係る設定情報などが記憶される。制御部７１には時計機能が内蔵されており、現在時刻が認識される。
【００１７】
録画予約された時刻が到来するときに、制御部７１はＴＶチューナ７５の電源をオンとし、所定のチャンネルの放送を受信し、中間周波数帯域のＩＦ信号を生成する。信号処理部７６は、例えばＯＦＤＭ信号を復調して復調信号を得、得られた復調信号に誤りデータが含まれる場合には誤り訂正処理を行い訂正済み信号を得る。表示制御駆動部７７は圧縮符号化のなされた訂正済み信号を伸長し、映像出力信号を生成する。表示部８３は映像出力信号を表示する。
ここで、信号処理部７６から得られた訂正済み信号はＨＤＤ７３に記録されると共に、カード制御部７８を介してカードスロット８１に格納されるメモリカード６に記録される。
【００１８】
図４〜図６を参照して表示部３に表示される画面を基に行う録画予約について述べる。
図４に示すＥＰＧ表示画面は４月１８日に放送者Ａ〜Ｃよりなされる１９、２０時における番組表である。番組毎に予約アイコンが設けられており、使用者は予約機４に接続されるマウス５２を操作し、予約すべき番組の予約アイコンをクリックする。
図５（Ａ）は予約アイコンをクリックした時に表示される画面である。使用者は視聴予約又は録画予約を選択する。録画予約を選択する場合にはその予約が１回限りであるか、毎週か、日曜を除く毎日か、土日を除く毎日か、乃至は毎日であるかを選択する。例えば、毎週を選択すると図５（Ｂ）が表示される。その表示は、録画予約は毎週であり、受信する番組は放送局Ｃより２００６年４月１８日の２０〜２１時になされ、番組のタイトル名は旅番組「春の▽▽」であるとする番組情報である。確認アイコンが操作されると番組情報は制御部４６に送られる。
ここで、放送局名と受信チャンネルの関係は、受信者の住所を例えば郵便番号を用いて予約機に入力しておくことによりに一義的に関連付けられる。受信局名を受信チャンネル番号に置換した番組情報として作成するようにしても良い。
【００１９】
図６は、メモリ初期化部４８により、メモリカード６に初期設定された録画予約ホルダの構成図である。制御部４６はメモリカード６の名称がＳＤ／ＭＭＣであり、装置記号はｄ：として認識されている。メモリカード６は録画する映像信号を記録するＳＤ＿ＶＩＤＥＯディレクトリと、録画予約情報を記憶する録画予約ディレクトリとがある。録画予約ディレクトリには１回限り、毎週、日曜を除く毎日、土日を除く毎日、及び毎日ホルダがある。制御部４６は、図５（Ｂ）で示した番組情報を録画予約ディレクトリの毎週ホルダに格納する。
ここで、ＳＤ＿ＶＩＤＥＯディレクトリには、録画予約ディレクトリと同様に１回限り、毎週、日曜を除く毎日、土日を除く毎日、及び毎日ホルダが設けられている。
録画機７は、カードスロット５１に格納されるメモリカード６の毎週ホルダに格納される番組情報を検出し、予約し、受信して得られた訂正済み信号はＳＤ＿ＶＩＤＥＯディレクトリの毎週ホルダに記録（記憶）される。
携帯端末９でメモリカード６の例えば毎週ホルダを選択して録画番組を再生する場合には、録画予約の頻度が毎週である番組のみが再生される。
【００２０】
図７を参照して予約機の動作の流れについて説明する。
まず、メモリーカード６が予約機４のカードスロット５１に挿入された場合に、Ｓ（ステップ）６１でメモリーカード６に録画予約の頻度の種類に応じたホルダを作成する。Ｓ６２で、予約機４はサーバ１からＥＰＧに係る記述情報を取得する。Ｓ６３で、取得したＥＰＧ情報を表示するための画面情報を作成し、表示部３に表示させる。Ｓ６４で、使用者は表示画面を基に録画予約する番組をマウス５２を操作して選択する。Ｓ６５で、制御部４６はＥＰＧに係る記述情報から予約された番組に係る記述情報を取得する。Ｓ６６で、予約された番組の繰り返し予約に係る表示画面を表示し、繰り返し予約の頻度情報を得る。Ｓ６７で、制御部４６は予約された番組のＥＰＧの記述情報を、メモリーカード６の指定された頻度のホルダに記憶する。Ｓ６８で、さらに予約する番組があるかを使用者に尋ね、ある場合はＳ６１からの動作を繰り返し、ない場合には録画予約のフローを終了する。
【００２１】
図８を参照して録画機の動作の流れについて説明する。
Ｓ８１において、メモリーカード６がカードスロット８１に挿入されたかを検出する。挿入された場合には、録画予約ディレクトリのホルダで予約情報が記述される箇所を検出し、格納されるホルダの場所に係る情報と、番組に係り記述される予約情報とを取得する。Ｓ８３で、制御部７１は予約情報の記述内容を基に録画予約の設定を行う。Ｓ８４で、予約された時刻が到来したら予約されたチャンネルの信号を受信する。Ｓ８５で、受信信号の復調処理、復号処理、及び誤り訂正処理を行う。Ｓ８６で、誤り訂正処理をして得られた誤り訂正済み信号を、予約情報の格納されたホルダと同一名の受信信号の予約頻度に関連付けられた名称の付される映像信号記録用ホルダに記録（記憶）する。Ｓ８７でメモリカードが外されたとして検出された場合は録画動作を終了し、外されない場合にはＳ８４からの動作を継続する。
【００２２】
以上のように、本実施例で記述した番組予約記録システムによれば、番組予約装置４は、装着される記憶媒体６に繰り返し予約の予約頻度を示すホルダ名を付した予約ホルダを異なる予約頻度ごとに作成する予約ホルダ作成手段４８と、電子番組表から予約する番組として選択された予約番組の開始時刻、終了時刻及びチャンネル番号が記述された予約情報を、予約ホルダ作成手段により作成された異なる予約頻度ごとの予約ホルダのうち外部から指定される１つの予約ホルダに記憶する予約情報記憶手段４６、４７とを備え、番組記憶装置７は、装着される記憶媒体６の予約ホルダに記憶された予約情報を取得すると共に、取得した予約情報が記憶されている予約ホルダのホルダ名から予約頻度を取得する予約情報取得手段７８と、予約情報取得手段で取得された予約頻度及び予約情報に基づき受信番組の繰り返し予約を設定する予約設定手段７１と、予約設定手段で設定されて受信して得られる受信信号を、記憶媒体上の番組記憶用ホルダに記憶する記憶手段７６、７８とを備えるので、メモリカードに毎日乃至は毎週受信される番組を予約し、予約後には毎日乃至は毎週放送される番組の繰り返し録画を可能とする番組予約記憶システムを実現できる。
≪第１応用例≫
【００２３】
図９〜図１１を参照して番組予約記録システムの応用例について述べる。
応用例として示す番組予約記録システムは、図１に示した番組予約記録システムに比し予約機４ａは予約機４に比しカードスロット５１の代わりにディジタルインタフェースケーブル６１を接続するための図示しないインタフェースを有している点で異なっており、録画機７ａは録画機７に比してディジタルインタフェースケーブル６１を接続するための図示しないインタフェース、カード制御部７８ａ、及びカードスロット８１ａを追加して備えている点、並びにメモリカード６ａを多く備えているで異なっている。
予約機４ａで予約された番組情報及び予約頻度に係るホルダ情報はディジタルインタフェースケーブル６１を介して録画機７ａに伝送される。
【００２４】
図１０を参照し録画機７ａについて述べる。
同図に示す録画機７ａは、図３に示した録画機７に比しディジタルインタフェース７４、メモリカード制御部７８ａ、及びカードスロット８１ａが多く備えられている。カード制御部７８ａにより制御されるカードスロット８１ａにはメモリカード６ａが装着される。ディジタルインタフェース７４はディジタルインタフェースケーブル６１を介して予約機４ａと通信を行うためのインタフェースである。
ここで、カードスロット８１に挿入されるメモリカード６のホルダを例えば毎週とし、カードスロット８１ａに挿入されるメモリカード６ａのホルダを例えば毎日とすると、メモリカード６には毎週の頻度で録画される番組が、メモリカード６ａには毎日録画される番組が記録される。複数のメモリカードを用い、カード毎に録画する番組の頻度を異ならしめることにより、簡易的にライブラリー化された番組がメモリカードに記録されることになる。
【００２５】
図１１を参照してディレクトリ構造について述べる。
同図に示すハードディスク７３のディレクトリ構造は図６に示したメモリカードのディレクトリ構造と同様な記憶領域が定義されている。録画予約情報を記憶する録画予約ディレクトリと、受信される番組を記録（記憶）するＳＤ＿ＶＩＤＥＯディレクトリの領域が定義されている。予約機４ａで生成された予約番組情報及び予約頻度情報はＨＤＤ（ハードディスク）７３の録画予約ディレクトリに記憶され、予約により受信された番組に係る訂正済み信号はＳＤ＿ＶＩＤＥＯディレクトリの、録画予約情報の記憶されるホルダと同一名称のホルダに記憶される。
【００２６】
ここで、受信される番組をメモリカードに直接記録する方法と、ハードディスク７３に記録した後にメモリカードに記録する方法とがある。一旦ハードディスク７３に記録する方法の場合では、受信終了後に記録データをメモリカードにコピー乃至はムーブするための時間が必要である一方、メモリカードをカードスロットに装着していない状態でも録画できる。１セグメント放送により受信される圧縮符号化された符号化信号のデータ量は映像信号のデータ量よりも小さいため、コピー時間も短くて済む。
≪第２応用例≫
【００２７】
図１２を参照して携帯端末９充電用のクレードル、即ち録画機能を搭載した電源装置について述べる。
同図におけるクレードルは、予約機４ａとディジタルインタフェースケーブル１６により接続され、図１０に示した録画機７ａの機能の一部及び充電用電源機能を有している。携帯端末９の充電は充電用端子８４ａ、８４ｂを介してなされる。
クレードル７ｂの録画機能は、録画機７ａに比し、操作部７２、表示制御駆動部７７、及び表示部８３は備えられていない。録画予約操作は予約機４又は予約機４ａによりなされ、録画予約情報はメモリーカードを介して又はディジタルインタフェースケーブルを介してクレードルに入力される。クレードル７ｂは指定される頻度で予約されて受信された信号を、カードスロット８１、８１ａに挿入されるメモリーカードのうち、録画予約情報の記述されている方のメモリカードに記憶（記録）される。
新たな番組が記憶された方のメモリカード側には、新番組が記憶されたことをランプ８５、８５ａにより表示する。ランプ表示は記憶終了後記憶メモリカードが取り外されるまで表示する。または、ランプ８５、８５ａは、クレードル７ｂに載置される携帯端末９の充電池が充電完了し、携帯端末９が取り外された後にランプ表示をリセット（消灯）する。
【００２８】
第１、第２応用例で示した番組予約記録システムによれば、複数のメモリカードを用意し、それぞれのメモリカードにライブラリー化された受信番組を記憶できるので、メモリカードを装着して再生する携帯端末は目的のメモリーカードを装着することにより類似するカテゴリの録画番組を再生できるため、外出時、移動時に簡易な操作で目的の録画番組を再生することができる。
また、放送番組と共に受信される電子番組表に記述される番組数が少なく、翌日又は翌週に受信されるシリーズ番組が電子番組表に記述されていない場合であっても予めシリーズ番組の録画予約情報を記述したメモリカードを番組記録装置に装着しておくことにより番組記録装置の操作を行うことなくシリーズ番組の録画予約設定ができると共に、端末装置で予約して録画を行うのに比し電池切れや受信環境の不具合による予約番組の録画失敗を防止することのできる番組記録装置を実現できる。
また、クレードル７ｂは操作部、ランプ以外の表示部を有してないで構成し、メモリカードに予約番組を記憶できる。
また、ランプ表示により、予約により新たな番組が記憶されたメモリカードが存在する場合には記憶された方のメモリカードが表示により明示される。その表示はクレードルから携帯端末が外された後にリセットされるため、外出時、移動時に新たな番組が記憶されたか否かを表示出来る。
【図面の簡単な説明】
【００２９】
【図１】本発明の実施に係る番組予約記録システムの構成例を示す図である。
【図２】本発明の実施に係る予約機の構成例を示すブロック図である。
【図３】本発明の実施に係る録画機の構成例を示すブロック図である。
【図４】本発明の実施に係る番組予約記録システムで用いる電子番組表の記述例を示す図である。
【図５】本発明の実施に係る予約機の表示部に表示される表示画面例を示す図である。
【図６】本発明の実施に係るメモリカードの録画予約領域の構成例を示すブロック図である。
【図７】本発明の実施に係る予約機の動作をフローチャートで示した図である。
【図８】本発明の実施に係る録画機の動作をフローチャートで示した図である。
【図９】本発明の実施に係る番組予約記録システムの応用構成例を示す図である。
【図１０】本発明の実施に係る録画機の応用構成例を示すブロック図である。
【図１１】本発明の実施に係る録画機の録画予約領域の構成例を示すブロック図である。
【図１２】本発明の実施に係る録画機能を搭載するクレードルの外観を例示した図である。
【符号の説明】
【００３０】
１    サーバ
２    ネットワーク
３    表示部
４、４ａ    予約機
６、６ａ    メモリカード
７、７ａ    録画機
９    携帯端末
４１    ネットワークインタフェース
４２    ＥＰＧデータ取得部
４３    ＥＰＧ画面生成部
４４    録画モード特定部
４５    操作検出部
４６    制御部
４７    メモリライタ部
４８    メモリ初期化部
４９    表示画面生成部
５１    カードスロット
５２    マウス
６１    ディジタルインタフェースケーブル
７１    制御部
７１ａ    ＲＯＭ
７１ｂ    ＲＡＭ
７２    操作部
７３    ＨＤＤ
７５    ＴＶチューナ
７６    信号処理部
７７    表示制御駆動部
７８、７８ａ    メモリカード制御部
７９    バスライン
８１、８１ａ    カードスロット
８２    放送受信用アンテナ
８３    表示部
９１    カードスロット
９２    アンテナ
９３    表示部
【図１】
2007295072.tif 000003
【図２】
2007295072.tif 000004
【図３】
2007295072.tif 000005
【図４】
2007295072.tif 000006
【図５】
2007295072.tif 000007
【図６】
2007295072.tif 000008
【図７】
2007295072.tif 000009
【図８】
2007295072.tif 000010
【図９】
2007295072.tif 000011
【図１０】
2007295072.tif 000012
【図１１】
2007295072.tif 000013
【図１２】
2007295072.tif 000014